(57)【特許請求の範囲】
【請求項１】
ワイヤレス通信の方法であって、
アップリンク上での複数のサブキャリアを介したデータ送信に関連する推定干渉を判断することと、
前記推定干渉に関連する情報のセットを基地局に送信することと、ここで前記情報のセットは前記複数のサブキャリアと関連する相互変調積の周波数ロケーションを含む、
前記推定干渉に少なくとも部分的に基づいて、ダウンリンク上で少なくとも１つのサブキャリアを介して受信したデータを処理することと、ここで前記少なくとも1つのサブキャリアを介して受信したデータを処理することは前記少なくとも1つのサブキャリアの変調シンボルの対数尤度比（ＬＬＲ）をリセットすることを含む、を備える方法。
【請求項２】
前記推定干渉を判断することが、前記複数のサブキャリアに関連する相互変調積を判断することを備える請求項１に記載の方法。
【請求項３】
前記推定干渉を判断することが、前記少なくとも１つのサブキャリアを、前記相互変調積に関係する周波数の範囲内の周波数を有するものと識別することを備える請求項２に記載の方法。
【請求項４】
前記推定干渉に少なくとも部分的に基づいて、前記複数のサブキャリアのうちの少なくとも１つの上での前記データ送信を中断することをさらに備える請求項１に記載の方法。
【請求項５】
前記データ送信を中断することが、前記基地局からのスケジューリングに応答する請求項４に記載の方法。
【請求項６】
前記推定干渉に少なくとも部分的に基づいて、前記アップリンク上でデータを送信するためのサブキャリアを選択することをさらに備える請求項１に記載の方法。
【請求項７】
前記複数のサブキャリアが、第１のワイヤレス・アクセス技術に関連する第１のセットのサブキャリアと、第２のワイヤレス・アクセス技術に関連する第２のセットのサブキャリアとを備える請求項１に記載の方法。
【請求項８】
前記第１のワイヤレス・アクセス技術がＬｏｎｇ  Ｔｅｒｍ  Ｅｖｏｌｕｔｉｏｎ（ＬＴＥ）システムを備え、前記第２のワイヤレス・アクセス技術が符号分割多元接続（ＣＤＭＡ）システムまたはＷｉＦｉシステムのうちの１つである請求項７に記載の方法。
【請求項９】
前記複数のサブキャリアが、前記アップリンク上での並列データ送信のために利用可能な複数の不連続サブキャリアを備える請求項１に記載の方法。
【請求項１０】
メモリに記憶されたコンピュータ実行可能構成要素を実行するように構成されたプロセッサを備え、前記プロセッサは、
アップリンク上での複数のサブキャリアを介したデータ送信に関連する推定干渉を判断するように構成された推定構成要素と、
前記推定干渉に関連する情報のセットを基地局に送信するように構成される通信構成要素と、ここで前記情報のセットは前記複数のサブキャリアと関連する相互変調積の周波数ロケーションを含む、
前記推定干渉に少なくとも部分的に基づいて、ダウンリンク上で少なくとも１つのサブキャリアを介して受信したデータを処理するように構成され、前記少なくとも1つのサブキャリアを介して受信したデータ処理することは前記少なくとも1つのサブキャリアの変調シンボルの対数尤度比（ＬＬＲ）をリセットするように構成された信号処理構成要素と、
を含む、ワイヤレス通信装置。
【請求項１１】
前記推定構成要素が、前記複数のサブキャリアに関連する相互変調積を判断するように構成される請求項１０に記載の装置。
【請求項１２】
前記推定構成要素が、前記少なくとも１つのサブキャリアを、相互変調積に関係する周波数の範囲内の周波数を有するものとして識別するように構成される請求項１１に記載の装置。
【請求項１３】
前記推定干渉に少なくとも部分的に基づいて、前記複数のサブキャリアのうちの少なくとも１つの上で前記データ送信を中断するように構成された通信構成要素をさらに備える請求項１０に記載の装置。
【請求項１４】
前記通信構成要素が、前記基地局からのスケジューリングに応答して前記データ送信を中断するように構成される請求項１３に記載の装置。
【請求項１５】
前記推定干渉に少なくとも部分的に基づいて、前記アップリンク上でデータを送信するためのサブキャリアを選択するように構成された送信構成要素をさらに備える請求項１０に記載の装置。
【請求項１６】
前記複数のサブキャリアが、第１のワイヤレス・アクセス技術に関連する第１のセットのサブキャリアと、第２のワイヤレス・アクセス技術に関連する第２のセットのサブキャリアとを備える請求項１０に記載の装置。
【請求項１７】
前記第１のワイヤレス・アクセス技術がＬｏｎｇ  Ｔｅｒｍ  Ｅｖｏｌｕｔｉｏｎ（ＬＴＥ）システムを備え、前記第２のワイヤレス・アクセス技術が符号分割多元接続（ＣＤＭＡ）システムまたはＷｉＦｉシステムのうちの１つである請求項１６に記載の装置。
【請求項１８】
前記複数のサブキャリアが、前記アップリンク上での並列データ送信のために利用可能な複数の不連続サブキャリアを備える請求項１０に記載の装置。
【請求項１９】
少なくとも１つのコンピュータに、
アップリンク上での複数のサブキャリアを介したデータ送信に関連する推定干渉を判断することと、
前記推定干渉に関連する情報のセットを基地局に送信することと、ここで前記情報のセットは前記複数のサブキャリアと関連する相互変調積の周波数ロケーションを含む、
前記推定干渉に少なくとも部分的に基づいて、ダウンリンク上で少なくとも１つのサブキャリアを介して受信したデータを処理することと、ここで前記少なくとも1つのサブキャリアを介して受信したデータ処理することは前記少なくとも1つのサブキャリアの変調シンボルの対数尤度比（ＬＬＲ）をリセットすることを含む、
を行わせるためのコードを備えるコンピュータ可読記憶媒体。
【請求項２０】
アップリンク上での複数のサブキャリアを介したデータ送信に関連する推定干渉を判断するための手段と、
前記推定干渉に関連する情報のセットを基地局に送信するための手段と、ここで前記情報のセットは前記複数のサブキャリアと関連する相互変調積の周波数ロケーションを含む、
前記推定干渉に少なくとも部分的に基づいて、ダウンリンク上で少なくとも１つのサブキャリアを介して受信したデータを処理するための手段と、ここで前記少なくとも1つのサブキャリアを介して受信したデータを処理するための手段は前記少なくとも1つのサブキャリアの変調シンボルの対数尤度比（ＬＬＲ）をリセットするための手段を含む、
を備えるワイヤレス通信装置。
【請求項２１】
ワイヤレス通信の方法であって、
複数のサブキャリアを介したワイヤレス・デバイスによるデータ送信に関連する推定干渉を判断することと、
前記複数のサブキャリアに関連する相互変調積の周波数ロケーションを含む指示を前記ワイヤレス・デバイスから受信することと、
前記推定干渉に少なくとも部分的に基づいて、前記ワイヤレス・デバイスにリソースを割り当てることと、
を備える方法。
【請求項２２】
前記推定干渉を判断することが、前記複数のサブキャリアに関連する相互変調積を判断することを備える請求項２１に記載の方法。
【請求項２３】
前記推定干渉を判断することが、前記ワイヤレス・デバイスから受信した前記指示に少なくとも部分的に基づく、請求項２１に記載の方法。
【請求項２４】
前記相互変調積の前記周波数ロケーションが、少なくとも第１のワイヤレス・アクセス技術と第２のワイヤレス・アクセス技術とを介した前記ワイヤレス・デバイスのデータ送信に関係する請求項２３に記載の方法。
【請求項２５】
前記第１のワイヤレス・アクセス技術がＬｏｎｇ  Ｔｅｒｍ  Ｅｖｏｌｕｔｉｏｎ（ＬＴＥ）システムを備え、前記第２のワイヤレス・アクセス技術が符号分割多元接続（ＣＤＭＡ）システムまたはＷｉＦｉシステムのうちの１つである請求項２４に記載の方法。
【請求項２６】
前記ワイヤレス・デバイスにリソースを割り当てることが、アップリンク・サブキャリア上で前記ワイヤレス・デバイスをスケジュールすることを備える請求項２１に記載の方法。
【請求項２７】
前記ワイヤレス・デバイスにリソースを割り当てることが、ダウンリンク・サブキャリア上で前記ワイヤレス・デバイスをスケジュールすることを備える請求項２１に記載の方法。
【請求項２８】
メモリに記憶されたコンピュータ実行可能構成要素を実行するように構成されたプロセッサであって、前記構成要素が、
複数のサブキャリアを介したワイヤレス・デバイスによるデータ送信に関連する推定干渉を判断するように構成された推定構成要素と、
前記複数のサブキャリアに関連する相互変調積の周波数ロケーションを含む指示を前記ワイヤレス・デバイスから受信するように構成される通信構成要素と、
前記推定干渉に少なくとも部分的に基づいて、前記ワイヤレス・デバイスにリソースを割り当てるように構成された割当て構成要素と、
を含む、プロセッサを備えるワイヤレス通信装置。
【請求項２９】
前記推定構成要素が、前記複数のサブキャリアに関連する相互変調積を判断するように構成される請求項２８に記載の装置。
【請求項３０】
前記推定構成要素が、前記ワイヤレス・デバイスから受信した前記指示に少なくとも部分的に基づいて前記推定干渉を判断するように構成される請求項２８に記載の装置。
【請求項３１】
前記相互変調積の前記周波数ロケーションが、少なくとも第１のワイヤレス・アクセス技術と第２のワイヤレス・アクセス技術とを介した前記ワイヤレス・デバイスのデータ送信に関係する請求項３０に記載の装置。
【請求項３２】
前記第１のワイヤレス・アクセス技術がＬｏｎｇ  Ｔｅｒｍ  Ｅｖｏｌｕｔｉｏｎシステムを備え、前記第２のワイヤレス・アクセス技術が符号分割多元接続（ＣＤＭＡ）システムまたはＷｉＦｉシステムのうちの１つである請求項３１に記載の装置。
【請求項３３】
前記割当て構成要素が、アップリンク・サブキャリア上で前記ワイヤレス・デバイスをスケジュールするように構成される請求項２８に記載の装置。
【請求項３４】
前記割当て構成要素が、ダウンリンク・サブキャリア上で前記ワイヤレス・デバイスをスケジュールするように構成される請求項２８に記載の装置。
【請求項３５】
少なくとも１つのコンピュータに、
複数のサブキャリアを介したワイヤレス・デバイスによるデータ送信に関連する推定干渉を判断することと、
前記複数のサブキャリアに関連する相互変調積の周波数ロケーションを含む指示を前記ワイヤレス・デバイスから受信することと、
前記推定干渉に少なくとも部分的に基づいて、前記ワイヤレス・デバイスにリソースを割り当てることと、
を行わせるためのコードを備えるコンピュータ可読記憶媒体。
【請求項３６】
複数のサブキャリアを介したワイヤレス・デバイスによるデータ送信に関連する推定干渉を判断するための手段と、
前記複数のサブキャリアに関連する相互変調積の周波数ロケーションを含む指示を前記ワイヤレス・デバイスから受信するための手段と、
前記推定干渉に少なくとも部分的に基づいて、前記ワイヤレス・デバイスにリソースを割り当てるための手段と、
を備える、ワイヤレス通信装置。
【発明の詳細な説明】
【技術分野】
【０００１】
関連出願の相互参照
本出願は、２００９年６月２６日に出願された「METHOD AND APPRATUS FACILITATING INTERFERENCE MITIGATION FOR NON-CONTIGUOUS TRANSMISSIONS」と題する米国仮特許出願第６１／２２０，９８３号の利益を主張する。上述の出願は、その全体が参照により本明細書に組み込まれる。
【０００２】
以下の説明は、一般に、ワイヤレス通信に関し、より詳細には、干渉低減を可能にする方法および装置に関する。
【背景技術】
【０００３】
ワイヤレス通信システムは、ボイス、データなど、様々なタイプの通信コンテンツを提供するために広く展開されている。これらのシステムは、利用可能なシステム・リソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。各端末は、順方向リンクおよび逆方向リンク上での送信によって１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００５】
ＭＩＭＯシステムは、データ伝送のために複数（ＮT）個の送信アンテナと複数（ＮR）個の受信アンテナとを使用する。ＮT個の送信アンテナとＮR個の受信アンテナとによって形成されるＭＩＭＯチャネルは、空間チャネルとも呼ばれるＮS個の独立チャネルに分解され得、ここで、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【発明の概要】
【０００６】
以下で、１つまたは複数の実施形態の基本的な理解を与えるために、そのような実施形態の簡略化された概要を提示する。この概要は、すべての企図される実施形態の包括的な概観ではなく、すべての実施形態の主要または重要な要素を識別するものでも、いずれかまたはすべての実施形態の範囲を定めるものでもない。その目的は、後で提示するより詳細な説明の導入として、１つまたは複数の実施形態の概念を簡略化された形で提示することである。
【０００７】
１つまたは複数の実施形態およびその対応する開示に従って、ワイヤレス通信システムにおける干渉を低減することに関する様々な態様について説明する。一態様では、ワイヤレス通信を可能にするための方法およびコンピュータ・プログラム製品を開示する。そのような実施形態は、アップリンク上での複数のサブキャリアを介したデータ送信に関連する推定干渉を判断することと、推定干渉に少なくとも部分的に基づいて、ダウンリンク上で少なくとも１つのサブキャリアを介して受信したデータを処理することとを含む。
【０００８】
別の態様は、ワイヤレス通信のための装置に関係する。本装置は、メモリに記憶されたコンピュータ実行可能構成要素を実行するように構成されたプロセッサを含む。コンピュータ実行可能構成要素は、推定構成要素と信号処理構成要素とを含む。推定構成要素は、アップリンク上での複数のサブキャリアを介したデータ送信に関連する推定干渉を判断するように構成される。信号処理構成要素は、推定干渉に少なくとも部分的に基づいて、ダウンリンク上で少なくとも１つのサブキャリアを介して受信したデータを処理するように構成される。
【０００９】
追加の態様は、アップリンク上での複数のサブキャリアを介したデータ送信に関連する推定干渉を判断するための手段を含む装置に関係する。本装置はまた、推定干渉に少なくとも部分的に基づいて、ダウンリンク上で少なくとも１つのサブキャリアを介して受信したデータを処理するための手段を含む。
【００１０】
別の態様によれば、基地局においてワイヤレス通信を可能にするための方法およびコンピュータ・プログラム製品を開示する。そのような実施形態は、複数のサブキャリアを介したワイヤレス・デバイスによるデータ送信に関連する推定干渉を判断することと、推定干渉に少なくとも部分的に基づいて、ワイヤレス・デバイスにリソースを割り当てることとを含む。
【００１１】
さらに別の態様は、ワイヤレス通信のための装置に関係する。本装置は、メモリに記憶されたコンピュータ実行可能構成要素を実行するように構成されたプロセッサを含む。コンピュータ実行可能構成要素は、推定構成要素と割当て構成要素とを含む。推定構成要素は、複数のサブキャリアを介したワイヤレス・デバイスによるデータ送信に関連する推定干渉を判断するように構成される。割当て構成要素は、推定干渉に少なくとも部分的に基づいて、ワイヤレス・デバイスにリソースを割り当てるように構成される。
【００１２】
追加の態様は、複数のサブキャリアを介したワイヤレス・デバイスによるデータ送信に関連する推定干渉を判断するための手段を含む装置に関係する。本装置はまた、推定干渉に少なくとも部分的に基づいて、ワイヤレス・デバイスにリソースを割り当てるための手段を含む。
【００１３】
上記および関連する目的を達成するために、１つまたは複数の実施形態は、以下で十分に説明し、特に特許請求の範囲で指摘する特徴を備える。以下の説明および添付の図面に、１つまたは複数の実施形態のいくつかの例示的な態様を詳細に記載する。ただし、これらの態様は、様々な実施形態の原理を採用することができる様々な方法のほんのいくつかを示すものであり、説明する実施形態は、すべてのそのような態様およびそれらの均等物を含むものとする。
【図面の簡単な説明】
【００１４】
【図１】例示的なワイヤレス通信システムを示す図。
【図２】例示的なワイヤレスネットワーク環境の態様を示す図。
【図３】ワイヤレス通信システムの追加の態様を示す図。
【図４】例示的なユーザ機器およびネットワーク・エンティティを示す図。
【図５】例示的な干渉管理ユニットのブロック図。
【図６】ワイヤレス通信システムにおいて干渉低減を実現する電気構成要素の第１の例示的な結合を示す図。
【図７】ワイヤレス通信システムにおいて干渉低減を実現する電気構成要素の第２の例示的な結合を示す図。
【図８】干渉を低減するための例示的な方法を示す図。
【図９】複数のワイヤレス・アクセス技術を有する例示的な通信システムを示す図。
【図１０】複数のセルを有する例示的な通信システムを示す図。
【図１１】例示的な基地局のブロック図。
【図１２】例示的なワイヤレス端末のブロック図。
【発明を実施するための形態】
【００１５】
次に、図面を参照しながら様々な実施形態について説明する。図面全体にわたって、同様の要素を指すのに同様の参照符号を使用する。以下の記述では、説明の目的で、１つまたは複数の実施形態の完全な理解を与えるために多数の具体的な詳細を記載する。ただし、そのような（１つまたは複数の）実施形態は、これらの具体的な詳細なしに実施され得ることは明らかであろう。他の例では、１つまたは複数の実施形態の説明を円滑にするために、よく知られている構造およびデバイスをブロック図の形態で示す。
【００１６】
本明細書では、ワイヤレス・システムにおける干渉を低減するための技法について説明する。特に、受信信号の相互変調積および／または高調波積からの干渉の存在下で信号を送信することについて説明する。特定の一実施形態では、相互変調積および／または高調波積によって生じる干渉を推定し、次いで、その推定された干渉を使用して、対数尤度比（log-likelihood ratio）（ＬＬＲ）メトリックのセットをゼロアウトする。別の実施形態では、相互変調積および／または高調波積（以下、まとめて「相互変調積」と呼ぶ）による受信信号への干渉に寄与し得るサブキャリアを介して信号を送信することを回避する態様を開示する。
【００１７】
本明細書で説明する技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングル・キャリア周波数分割多元接続（ＳＣ−ＦＤＭＡ）、高速パケット・アクセス（ＨＳＰＡ）、および他のシステムなど様々なワイヤレス通信システムに対して使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００などの無線技術を実装することができる。ＵＴＲＡは、Ｗｉｄｅｂａｎｄ−ＣＤＭＡ（Ｗ−ＣＤＭＡ）とＣＤＭＡの他の変形態とを含む。ＣＤＭＡ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ(登録商標））などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（商標））、ＩＥＥＥ８０２．１６（ＷｉＭＡＸ）、ＩＥＥＥ８０２．２０、Ｆｌａｓｈ−ＯＦＤＭなどの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。
【００１８】
シングル・キャリア周波数分割多元接続（ＳＣ−ＦＤＭＡ）は、シングル・キャリア変調および周波数領域等化を利用する。ＳＣ−ＦＤＭＡは、ＯＦＤＭＡシステムと同様のパフォーマンスおよび本質的に同じ全体的な複雑さを有する。ＳＣ−ＦＤＭＡ信号は、その固有のシングル・キャリア構造のためにより低いピーク対平均電力比（ＰＡＰＲ）を有する。ＳＣ−ＦＤＭＡは、たとえば、より低いＰＡＰＲが送信電力効率の点でアクセス端末に大きな利益を与えるアップリンク通信において使用され得る。したがって、ＳＣ−ＦＤＭＡは、３ＧＰＰ  Ｌｏｎｇ  Ｔｅｒｍ  Ｅｖｏｌｕｔｉｏｎ（ＬＴＥ）またはＥｖｏｌｖｅｄ  ＵＴＲＡにおいてアップリンク多元接続方式として実装され得る。
【００１９】
高速パケット・アクセス（ＨＳＰＡ）は、高速ダウンリンク・パケット・アクセス（ＨＳＤＰＡ）技術と高速アップリンク・パケット・アクセス（ＨＳＵＰＡ）または拡張アップリンク（ＥＵＬ）技術とを含むことができ、ＨＳＰＡ＋技術をも含むことができる。ＨＳＤＰＡ、ＨＳＵＰＡおよびＨＳＰＡ＋は、それぞれ、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）規格のリリース５、リリース６、およびリリース７の一部である。
【００２０】
高速ダウンリンク・パケット・アクセス（ＨＳＤＰＡ）は、ネットワークからユーザ機器（ＵＥ）へのデータ送信を最適化する。本明細書で使用する、ネットワークからユーザ機器ＵＥへの送信は「ダウンリンク」（ＤＬ）と呼ばれることがある。送信方法は、数Ｍｂｉｔ／ｓのデータレートを可能にすることができる。高速ダウンリンク・パケット・アクセス（ＨＳＤＰＡ）は、モバイル無線ネットワークの容量を増大させることができる。高速アップリンク・パケット・アクセス（ＨＳＵＰＡ）は、端末からネットワークへのデータ送信を最適化することができる。本明細書で使用する、端末からネットワークへの送信は「アップリンク」（ＵＬ）と呼ばれることがある。アップリンク・データ送信方法は、数Ｍｂｉｔ／ｓのデータレートを可能にすることができる。ＨＳＰＡ＋は、３ＧＰＰ規格のリリース７において規定されているようにアップリンクとダウンリンクの両方においてなお一層の改善を可能にする。高速パケット・アクセス（ＨＳＰＡ）方法は、一般に、たとえば、ボイスオーバＩＰ（ＶｏＩＰ）、ビデオ会議およびモバイル・オフィス・アプリケーションの大容量のデータを送信するデータサービスにおいて、ダウンリンクとアップリンクとの間のより高速な対話を可能にする。
【００２１】
ハイブリッド自動再送要求（ＨＡＲＱ）などの高速データ送信プロトコルは、アップリンクとダウンリンクとの上で使用され得る。そのようなプロトコルは、受信者が、間違って受信された可能性があるパケットの再送信を自動的に要求できるようにする。
【００２２】
様々な実施形態について、アクセス端末に関して本明細書で説明する。アクセス端末は、システム、加入者ユニット、加入者局、移動局、モバイル、リモート局、リモート端末、モバイル・デバイス、ユーザ端末、端末、ワイヤレス通信デバイス、ユーザ・エージェント、ユーザ・デバイス、またはユーザ機器（ＵＥ）とも呼ばれることがある。アクセス端末は、セルラー電話、コードレス電話、セッション開始プロトコル（ＳＩＰ）電話、ワイヤレス・ローカル・ループ（ＷＬＬ）局、携帯情報端末（ＰＤＡ）、ワイヤレス接続機能を有するハンドヘルド・デバイス、コンピューティング・デバイス、またはワイヤレス・モデムに接続された他の処理デバイスとすることができる。さらに、様々な実施形態について、基地局に関して本明細書で説明する。基地局は、（１つまたは複数の）アクセス端末と通信するために利用され得、アクセス・ポイント、ノードＢ、進化型ノードＢ（ｅノードＢ）、アクセス・ポイント基地局、または何らかの他の用語で呼ばれることもある。
【００２３】
次に図面を参照すると、図１に、本明細書で提示する様々な実施形態によるワイヤレス通信システムが示されている。システム１００は、複数のアンテナ・グループを含むことができる基地局１０２を備える。たとえば、１つのアンテナ・グループはアンテナ１０４および１０６を含み、別のグループはアンテナ１０８および１１０を備え、さらなるグループはアンテナ１１２および１１４を含むことができる。アンテナ・グループごとに２つのアンテナが示されているが、グループごとにより多いまたはより少ないアンテナが利用され得る。基地局１０２は、さらに、送信機チェーンおよび受信機チェーンを含むことができ、送信機チェーンおよび受信機チェーンの各々は、当業者なら諒解するように、信号送信および受信に関連する複数の構成要素（たとえば、プロセッサ、変調器、マルチプレクサ、復調器、デマルチ・プレクサ、アンテナなど）を備えることができる。
【００２４】
基地局１０２は、アクセス端末１１６およびアクセス端末１２２などの１つまたは複数のアクセス端末と通信することができるが、基地局１０２は、アクセス端末１１６および１２２と同様の実質的に任意の数のアクセス端末と通信することができることを諒解されたい。アクセス端末１１６および１２２は、たとえば、セルラー電話、スマートフォン、ラップトップ、ハンドヘルド通信デバイス、ハンドヘルド・コンピューティング・デバイス、衛星ラジオ、全地球測位システム、ＰＤＡ、および／またはワイヤレス通信システム１００を介して通信するための任意の他の適切なデバイスとすることができる。図示のように、アクセス端末１１６はアンテナ１１２および１１４と通信しており、アンテナ１１２および１１４は、順方向リンク１１８を介してアクセス端末１１６に情報を送信し、逆方向リンク１２０を介してアクセス端末１１６から情報を受信する。その上、アクセス端末１２２はアンテナ１０４および１０６と通信しており、アンテナ１０４および１０６は、順方向リンク１２４を介してアクセス端末１２２に情報を送信し、逆方向リンク１２６を介してアクセス端末１２２から情報を受信する。周波数分割複信（ＦＤＤ）システムでは、たとえば、順方向リンク１１８は、逆方向リンク１２０によって使用される周波数帯とは異なる周波数帯を利用し、順方向リンク１２４は、逆方向リンク１２６によって使用される周波数帯とは異なる周波数帯を採用することができる。さらに、時分割複信（ＴＤＤ）システムでは、順方向リンク１１８および逆方向リンク１２０は共通の周波数帯を利用し、順方向リンク１２４および逆方向リンク１２６は共通の周波数帯を利用することができる。
【００２５】
アンテナの各グループおよび／またはそれらが通信するように指定されたエリアは、基地局１０２のセクタと呼ばれることがある。たとえば、アンテナ・グループは、基地局１０２によってカバーされるエリアのセクタ中のアクセス端末に通信するように設計され得る。順方向リンク１１８および１２４を介した通信では、基地局１０２の送信アンテナは、アクセス端末１１６および１２２の順方向リンク１１８および１２４の信号対雑音比を改善するためにビーム・フォーミングを利用することができる。関連するカバレージにわたってランダムに分散されたアクセス端末に送信するためにビーム・フォーミングを使用することは、近隣セル中のアクセス端末への干渉を低減することもできる。
【００２６】
図２に、基地局２１０とアクセス端末２５０とを有する例示的なワイヤレス通信システム２００を示す。簡潔のために、１つの基地局２１０と１つのアクセス端末２５０とのみを示してある。ただし、システム２００は２つ以上の基地局および／または２つ以上のアクセス端末を含むことができ、追加の基地局および／またはアクセス端末は、以下で説明する例示的な基地局２１０およびアクセス端末２５０と実質的に同様または異なるものであり得ることを諒解されたい。さらに、基地局２１０および／またはアクセス端末２５０は、それらの間のワイヤレス通信を可能にするために、本明細書で説明するシステムおよび／または方法を採用することができることを諒解されたい。
【００２７】
基地局２１０において、いくつかのデータ・ストリームのトラフィック・データがデータ・ソース２１２から送信（ＴＸ）データ・プロセッサ２１４に供給される。一例によれば、各データ・ストリームはそれぞれのアンテナを介して送信され得る。ＴＸデータ・プロセッサ２１４は、トラフィック・データ・ストリーム用に選択された特定の符号化方式に基づいて、そのデータ・ストリームをフォーマットし、符号化し、インターリーブして、符号化データを供給する。
【００２８】
各データ・ストリームの符号化データは、直交周波数分割多重（ＯＦＤＭ）技法を使用してパイロットデータと多重化され得る。追加または代替として、パイロットシンボルは、周波数分割多重化（ＦＤＭ）、時分割多重化（ＴＤＭ）、または符号分割多重化（ＣＤＭ）され得る。パイロットデータは、一般に、知られている方法で処理される公知のデータパターンであり、チャネル応答を推定するためにアクセス端末２５０において使用され得る。各データ・ストリームの多重化されたパイロットおよび符号化データは、そのデータ・ストリーム用に選択された特定の変調方式（たとえば、２位相偏移キーイング（ＢＰＳＫ）、４位相偏移キーイング（ＱＰＳＫ）、Ｍ位相偏移キーイング（Ｍ−ＰＳＫ）、多値直交振幅変調（Ｍ−ＱＡＭ）など）に基づいて変調（たとえば、シンボル・マッピング）され得、変調シンボルを与えることができる。各データ・ストリームのデータレート、符号化、および変調は、プロセッサ２３０によって実行または提供される命令によって決定され得る。
【００２９】
データ・ストリームの変調シンボルはＴＸ  ＭＩＭＯプロセッサ２２０に供給され得、ＴＸ  ＭＩＭＯプロセッサ２２０は、（たとえば、ＯＦＤＭ用に）変調シンボルをさらに処理することができる。次いで、ＴＸ  ＭＩＭＯプロセッサ２２０は、ＮT個の変調シンボル・ストリームをＮT個の送信機（ＴＭＴＲ）２２２ａ〜２２２ｔに供給する。様々な実施形態では、ＴＸ  ＭＩＭＯプロセッサ２２０は、データ・ストリームのシンボルと、シンボルの送信元のアンテナとにビーム・フォーミング重みを適用する。
【００３０】
各送信機２２２は、それぞれのシンボル・ストリームを受信し、処理して、１つまたは複数のアナログ信号を供給し、さらに、それらのアナログ信号を調整（たとえば、増幅、フィルタ処理、およびアップ・コンバート）して、ＭＩＭＯチャネルを介して送信するのに適した変調信号を供給する。さらに、送信機２２２ａ〜２２２ｔからのＮT個の変調信号は、それぞれ、ＮT個のアンテナ２２４ａ〜２２４ｔから送信される。
【００３１】
アクセス端末２５０では、送信された変調信号はＮR個のアンテナ２５２ａ〜２５２ｒによって受信され、各アンテナ２５２から受信された信号は、それぞれの受信機（ＲＣＶＲ）２５４ａ〜２５４ｒに供給される。各受信機２５４は、それぞれの信号を調整（たとえば、フィルタ処理、増幅、およびダウン・コンバート）し、調整された信号をデジタル化してサンプルを与え、さらに、それらのサンプルを処理して、対応する「受信」シンボル・ストリームを与える。
【００３２】
ＲＸデータ・プロセッサ２６０は、特定の受信機処理技法に基づいてＮR個の受信機２５４からＮR個の受信シンボル・ストリームを受信し、処理して、ＮT個の「検出」シンボル・ストリームを与えることができる。ＲＸデータ・プロセッサ２６０は、各検出シンボル・ストリームを復調し、デインターリーブし、復号して、データ・ストリームのトラフィック・データを復元することができる。ＲＸデータ・プロセッサ２６０による処理は、基地局２１０においてＴＸ  ＭＩＭＯプロセッサ２２０およびＴＸデータ・プロセッサ２１４によって実行される処理を補足するものである。
【００３３】
プロセッサ２７０は、上記で説明したように、どの利用可能な技術を利用すべきかを周期的に判断することができる。さらに、プロセッサ２７０は、行列インデックス部分とランク値部分とを備える逆方向リンクメッセージを作成することができる。
【００３４】
逆方向リンクメッセージは、通信リンク（たとえば、チャネル状態情報（ＣＳＩ））および／または受信データ・ストリームに関する様々なタイプの情報を備えることができる。逆方向リンクメッセージは、データ・ソース２３６から複数のデータ・ストリームのトラフィック・データをも受信するＴＸデータ・プロセッサ２３８によって処理され、変調器２８０によって変調され、送信機２５４ａ〜２５４ｒによって調整され、基地局２１０に送信され得る。
【００３５】
基地局２１０において、アクセス端末２５０からの変調信号は、アンテナ２２４によって受信され、受信機２２２によって調整され、復調器２４０によって復調され、ＲＸデータ・プロセッサ２４２によって処理されて、アクセス端末２５０によって送信された逆方向リンクメッセージが抽出される。さらに、プロセッサ２３０は、抽出されたメッセージを処理して、ビーム・フォーミング重みを判断するためにどのプリコーディング行列を使用すべきかを判断することができる。
【００３６】
プロセッサ２３０および２７０は、それぞれ基地局２１０およびアクセス端末２５０における動作を指示（たとえば、制御、調整、管理など）することができる。それぞれのプロセッサ２３０および２７０は、プログラム・コードおよびデータを記憶するメモリ２３２および２７２に結合され得る。プロセッサ２３０および２７０はまた、それぞれアップリンクおよびダウンリンクについての周波数およびインパルス応答推定値を導出するための計算を実行することができる。
【００３７】
次に図３を参照すると、様々な開示する実施形態および態様が実装され得る、多数のユーザをサポートするように構成された例示的なワイヤレス通信システム３００が示されている。図３に示すように、例として、システム３００は、たとえば、マクロセル３０２ａ〜３０２ｇなど、複数のセル３０２のための通信を可能にし、各セルは、（ＡＰ３０４ａ〜３０４ｇなどの）対応するアクセス・ポイント（ＡＰ）３０４によってサービスされる。各セルはさらに、（たとえば、１つまたは複数の周波数を提供するために）１つまたは複数のセクタに分割され得る。互換的にユーザ機器（ＵＥ）または移動局としても知られるＡＴ３０６ａ〜３０６ｋを含む様々なアクセス端末（ＡＴ）３０６がシステム全体に分散される。各ＡＴ３０６は、たとえば、そのＡＴがアクティブであるかどうか、およびそのＡＴがソフトハンドオフ中であるかどうかに応じて、所与の時点において順方向リンク（ＦＬ）および／または逆方向リンク（ＲＬ）上で１つまたは複数のＡＰ３０４と通信し得る。ワイヤレス通信システム３００は大きい地理的領域にわたってサービスを提供し得、たとえば、マクロセル３０２ａ〜３０２ｇは近傍の数個のブロックをカバーし得る。
【００３８】
ＡＴ３０６は、１つまたは複数のキャリア周波数上で同時に送信することができる。ＡＴ３０６の見地からすると、アップリンク上での並列送信は、特に、複数のワイヤレス・アクセス技術（たとえば、セルラー、Ｗｉ−Ｆｉなど）を介した不連続キャリア展開または同時データ送信を含むことができる。ＡＴ３０６が周波数ｆ1、ｆ2、．．．、ｆn上で送信しているとき、相互変調積がＡ1ｆ1＋Ａ2ｆ2＋．．．＋Ａnｆn（たとえば、ロケーション、周波数ロケーション）において生じ、ただし、Ａ1、Ａ2、．．．、Ａnは整数であり、Ａ1＋Ａ2＋．．．＋Ａnは相互変調次数である。たとえば、３次積は３ｆ1または２ｆ1−ｆ2において生じ得る。相互変調積は、送信チェーン中の電力増幅器など、無線周波（ＲＦ）要素の非線形性により生成されるスプリアス波形である。スプリアス波形を生成する際に、ただ１つの周波数または周波数範囲が関与する場合、積は通常、高調波と呼ばれるが、２つ以上の周波数が関与するとき、積は一般に相互変調積と呼ばれ得る。本明細書で使用する「相互変調積」という用語は、高調波と相互変調積の両方を含む。
【００３９】
ＡＴ３０６は、上述の周波数ロケーションのいずれかにおいてダウンリンク送信を受信することができる。たとえば、ダウンリンク・サブキャリアは２ｆ1−ｆ2に位置し得る。アップリンク上での並列データ送信に関連する相互変調積は、ダウンリンク受信の信号対雑音比（ＳＩＮＲ）と干渉し、そのＳＩＮＲを著しく劣化させ得る。したがって、ダウンリンク・サブキャリアに対するそのような相互変調積の悪影響を緩和することが望ましい。
【００４０】
次に図４を参照すると、別の例示的なワイヤレス通信システム４００が示されている。システム４００は、ユーザ機器４１０（たとえば、アクセス端末）とネットワーク・エンティティ４２０（たとえば、アクセスポイント）とを含み、ユーザ機器４１０はネットワーク・エンティティ４２０にアップリンク通信を与え、ネットワーク・エンティティ４２０はユーザ機器４１０にダウンリンク通信を与える。図示のように、ユーザ機器４１０は干渉管理ユニット４１２を含み得る。ネットワーク・エンティティ４２０も干渉管理ユニット４２２を含み得る。干渉管理ユニット４１２、４２２は、受信信号の相互変調積または高調波積の存在下で信号を送信することを可能にする。
【００４１】
ｆ1およびｆ2が、アップリンク上でのデータ送信のために使用されるサブキャリアのセットを表し、関連する相互変調積Ａｆ1＋Ｂｆ2が、ダウンリンク・サブキャリアｆDLを中心としたダウンリンク帯域幅Ｗ中にある［ｆDL−Ｗ／２，ｆDL＋Ｗ／２］場合を考察する。この例では、相互変調積による干渉はダウンリンク・サブキャリアｆDLにおいて高くなり得る。ダウンリンクの復号において相殺されない場合、相互変調積によって影響されたこのおよび他のサブキャリアにおいて生成されるスプリアス対数尤度比（ＬＬＲ）により、復号は失敗し得る。
【００４２】
干渉管理ユニット４１２および／または干渉管理ユニット４２２は、アップリンク・データ送信に関連する相互変調積による１つまたは複数のダウンリンク・サブキャリアへの干渉を推定し、そのような干渉の影響を補償するように構成され得る。たとえば、相互変調積がアップリンク・データ送信の既知の周波数ロケーションに基づいて生成される場合、サブキャリアは識別され得ることが企図される。たとえば、ＵＥ４１０の干渉管理ユニット４１２は、特に、サブキャリア上で変調シンボルの対数尤度比を０にすることによって影響されたそれらのサブキャリア上で受信したデータを処理し得る。一方、ネットワーク・エンティティ４２０の干渉管理ユニット４２０は、相互変調積の影響を緩和するように、推定干渉に基づいてＵＥ４１０にアップリンク／ダウンリンク・リソースを割り当て得る。
【００４３】
また、ｆ1とｆ2のいずれも、意図された送信ではなく、それ自体が、キャリア漏れ、ＩＱイメージ、または送信チェーン中の先行する構成要素によって生じた相互変調積などの不要な副産物である可能性があることに留意されたい。周波数におけるこれらの副産物のロケーションは予測可能であり得、その場合、ＬＬＲを０にするかまたはリソースを割り当てる同じ方法が適用され得る。
【００４４】
多数の送信（アップリンク）サブキャリアが存在し得るので、すべての関係する相互変調積のロケーションを計算することは負担となり得る。干渉管理ユニット４１２および／または干渉管理ユニット４２２は、連続占有周波数間隔を考察することによってそのような計算を簡略化することができる。たとえば、送信（アップリンク）サブキャリアが２つの異なる間隔［ｆ1,Low．．．ｆ1,High］および［ｆ2,Low．．．ｆ2,High］に制限されると仮定し、またｆ1,High＞ｆ2,Lowであると仮定する。この例では、３次相互変調積は、たとえば、［２ｆ1,Low−ｆ2,High．．．２ｆ1,High−ｆ2,Low］および［２ｆ2,Low−ｆ1,High．．．２ｆ2,High−ｆ1,Low］に、また［２ｆ1,Low＋ｆ2,Low．．．２ｆ1,High＋ｆ2,High］および［２ｆ2,Low＋ｆ1,Low．．．２ｆ2,High＋ｆ1,High］に位置することになる。この手法はまた、送信波形のうちの少なくとも１つが、直交周波数分割多重（ＯＦＤＭ）でないかまたは異なるキャリアのセットから構成されず、（たとえば、ＣＤＭＡ、またはアナログ信号の場合において）周波数の連続体を含むとき、適用可能である。
【００４５】
追加または代替として、干渉管理ユニット４１２および／または干渉管理ユニット４２２は、関連する相互変調積が受信信号と重複しないするようにアップリンク・キャリアのセットを選択することができる。たとえば、ＷｉＦｉとＬＴＥ−Ａの両方が利用されるときの場合、ＷｉＦｉアップリンク・キャリアは、相互変調積または高調波がダウンリンクＬＴＥ−Ａキャリアと重複しないように選択され得る。
【００４６】
また、相互変調積を推定することは、通信システム内の基地局および／またはモバイル・デバイスによって実行され得ることに留意されたい。一例では、基地局は、モバイル・デバイスへのダウンリンクおよびアップリンク割当てを行い、アップリンク・データ送信に基づいて、基地局は、相互変調積に関連するサブキャリアを回避するようにダウンリンク割当てをスケジュールすることができる。アップリンクおよびダウンリンク帯域幅全体を利用しながら、各モバイル・デバイスに対して相互変調積が回避され得るように、異なるモバイル・デバイスは異なるアップリンク・サブキャリアおよびダウンリンク・サブキャリアに割り当てられ得る。別の例では、モバイル・デバイスは、（たとえば、そのモバイル・デバイスが使用している技術に応じて）相互変調積または高調波が予想され得るロケーションを基地局に示し得る。
【００４７】
次に図５を参照すると、干渉低減を可能にする例示的な干渉管理ユニットが示されている。図示のように、干渉管理ユニット５００は、プロセッサ構成要素５１０と、メモリ構成要素５２０と、受信構成要素５３０と、送信構成要素５４０と、推定構成要素５５０と、信号処理構成要素５６０と、通信構成要素５７０と、割当て構成要素５８０とを含み得る。
【００４８】
一態様では、プロセッサ構成要素５１０は、複数の機能のいずれかを実行することに関係するコンピュータ可読命令を実行するように構成される。プロセッサ構成要素５１０は、干渉管理ユニット５００から通信されるべき情報を分析し、ならびに／あるいはメモリ構成要素５２０、受信構成要素５３０、送信構成要素５４０、推定構成要素５５０、信号処理構成要素５６０、通信構成要素５７０、および／または割当て構成要素５８０によって利用される情報を生成する、単一のプロセッサまたは複数のプロセッサであり得る。追加または代替として、プロセッサ構成要素５１０は、干渉管理ユニット５００のうちの１つまたは複数の構成要素を制御するように構成され得る。
【００４９】
別の態様では、メモリ構成要素５２０は、プロセッサ構成要素５１０に結合され、プロセッサ構成要素５１０によって実行されるコンピュータ可読命令を記憶するように構成される。メモリ構成要素５２０はまた、受信構成要素５３０、送信構成要素５４０、推定構成要素５５０、信号処理構成要素５６０、通信構成要素５７０、および／または割当て構成要素５８０のいずれかによって生成されたデータを含む、複数の他のタイプのデータのいずれかを記憶するように構成され得る。メモリ構成要素５２０は、ランダムアクセスメモリ、バッテリー・バックアップ付きメモリ、ハードディスク、磁気テープなどを含む、いくつかの異なる構成で構成され得る。また、圧縮および自動バックアップなど、様々な特徴（たとえば、Ｒｅｄｕｎｄａｎｔ  Ａｒｒａｙ  ｏｆ  Ｉｎｄｅｐｅｎｄｅｎｔ  Ｄｒｉｖｅｓ構成の使用）がメモリ構成要素５２０上に実装され得る。
【００５０】
第１の例示的な実施形態では、干渉管理ユニット５００は、受信信号と干渉する相互変調積に関連する信号送信を補償するように構成され得る。そのような実施形態内では、受信構成要素５３０は、第１の周波数上で少なくとも１つのサブキャリアを判断するように構成され得るが、送信構成要素５４０は、第２の周波数上で少なくとも２つのサブキャリアを識別するように構成され得る。この実施形態の場合、信号受信は少なくとも１つのサブキャリアで可能にされるが、信号送信は少なくとも２つのサブキャリアで可能にされる。一態様では、信号受信は第１のエアインターフェース技術で可能にされるが、信号送信は第１のエアインターフェース技術とは異なる第２のエアインターフェース技術で可能にされる。ただし、信号受信と信号送信とが共通のエアインターフェース技術で可能にされることも企図される。
【００５１】
さらなる態様では、信号送信は、異なるキャリアのセットおよび／または周波数の連続体で可能にされ得る。たとえば、異なるキャリアのセットを介した送信に関して、信号送信は直交周波数分割多重（ＯＦＤＭ）送信であり得る。一方、周波数の連続体を介した送信について、たとえば、信号送信は符号分割多元接続（ＣＤＭＡ）送信またはアナログ送信であり得る。
【００５２】
図示のように、干渉管理ユニット５００はまた、推定構成要素５５０と信号処理構成要素５６０とを含み得る。推定構成要素５５０は、相互変調積のうちの少なくとも１つに関連する少なくとも１つのサブキャリアへの推定干渉を判断するように構成され得るが、信号処理構成要素５６０は、推定干渉に基づいてその少なくとも１つのサブキャリアを処理するように構成され得る。ここで、信号処理構成要素５６０は、複数の方法のいずれかで少なくとも１つのサブキャリアを処理するために推定干渉を利用するように構成され得ることに留意されたい。たとえば、信号処理構成要素５６０は、少なくとも１つのサブキャリアを復調し、ならびにその少なくとも１つのサブキャリアを復号するように構成され得る。しかしながら、信号処理構成要素５６０はまた、少なくとも１つのサブキャリアに関連する対数尤度比メトリックのセットをリセットするように構成され得る。たとえば、信号処理構成要素５６０は、対数尤度比メトリックのセットを０に設定するように構成され得る。
【００５３】
干渉管理ユニット５００は、相互変調積による受信信号への干渉を低減するサブキャリアを介して信号を送信することを回避するように構成され得る。一態様では、受信構成要素５３０は、第１の周波数上で少なくとも１つのサブキャリアを判断するように構成され得るが、送信構成要素５４０は、第２の周波数上で少なくとも２つのサブキャリアの選択を実行するように構成され得る。送信構成要素５４０は、少なくとも１つのサブキャリアと、少なくとも２つのサブキャリアに関連する相互変調積または高調波積のうちの少なくとも１つとの間の重複を回避するように選択を実行することができる。通信構成要素５７０は、ユーザ機器４１０の場合はアップリンク通信を介して、またはネットワーク・エンティティ４２０の場合はダウンリンク通信を介して、少なくとも２つのサブキャリア上で送信するように構成され得る。たとえば、通信構成要素５７０は、少なくとも２つのサブキャリアを介してアップリンク通信を行うように構成され得、受信構成要素５３０で可能にされる信号受信はダウンリンクに関連付けられる。そのような実施形態内では、送信構成要素５４０は、ネットワークによって与えられた割当てに基づいて少なくとも２つのサブキャリアを選択するように構成され得る。代替的に、通信構成要素５７０は、少なくとも２つのサブキャリアを介してダウンリンク通信を行うように構成され得、受信構成要素５３０で可能にされる信号受信はアップリンクに関連付けられる。
【００５４】
特定の一実施形態では、干渉管理ユニット５００はユーザ機器（たとえば、ユーザ機器４１０）内に常駐する。一態様では、推定構成要素５５０は、アップリンク上での複数のサブキャリアを介したデータ送信に関連する推定干渉を判断するように構成され得るが、信号処理構成要素５６０は、推定干渉に少なくとも部分的に基づいて、ダウンリンク上で少なくとも１つのサブキャリアを介して受信したデータを処理するように構成され得る。ここで、推定構成要素５５０は、複数の方法のいずれかで推定干渉を確認するように構成され得ることに留意されたい。たとえば、推定構成要素５５０は、複数のサブキャリアに関連する相互変調積のセットを判断するように構成され得る。実際、そのような実施形態内では、推定構成要素５５０はさらに、少なくとも１つのサブキャリアを、複数のサブキャリアに関連する相互変調積のセットに関係する周波数の範囲内の周波数を有するものとして識別するように構成され得る。この実施形態の場合、信号処理構成要素５６０は、少なくとも１つのサブキャリアの変調シンボルの対数尤度比（ＬＬＲ）を０にするように構成され得る。
【００５５】
また、干渉管理ユニット５００をユーザ機器（たとえば、ユーザ機器４１０）内に実装するとき、通信構成要素５７０は、同様に複数のさらなる構成のいずれかを含み得ることに留意されたい。たとえば、通信構成要素５７０は、推定干渉に少なくとも部分的に基づいて、複数のサブキャリアのうちの少なくとも１つの上でデータ送信を中断するように構成され得る。この特定の実施形態の場合、通信構成要素５７０はさらに、基地局（たとえば、ネットワーク・エンティティ４２０）からのスケジューリングに応答してデータ送信を中断するように構成され得る。別の実施形態では、通信構成要素５７０は、推定干渉に関係する情報のセットを基地局（たとえば、ネットワーク・エンティティ４２０）に送信するように構成され得、情報のセットは、たとえば、複数のサブキャリアに関連する相互変調積の周波数ロケーションを備え得る。
【００５６】
また、干渉管理ユニット５００をユーザ機器（たとえば、ユーザ機器４１０）内に実装することを対象とする様々な他の態様が企図される。たとえば、送信構成要素５４０は、推定干渉に少なくとも部分的に基づいて、アップリンク上でデータを送信するためのサブキャリアを選択するように構成され得る。また、特定のサブキャリア特性に関して、複数のサブキャリアは、アップリンク上での並列データ送信のために利用可能な複数の不連続サブキャリアを備え得ることに留意されたい。また、複数のサブキャリアは、第１のワイヤレス・アクセス技術に関連する第１のセットのサブキャリアと、第２のワイヤレス・アクセス技術に関連する第２のセットのサブキャリアとを備え得ることが企図される。たとえば、第１のワイヤレス・アクセス技術はＬｏｎｇ  Ｔｅｒｍ  Ｅｖｏｌｕｔｉｏｎシステムを備え得るが、第２のワイヤレス・アクセス技術は符号分割多元接続（ＣＤＭＡ）システムまたはワイヤレス・フィデリティー（ＷｉＦｉ）システムを備え得る。別の実施形態では、干渉管理ユニット５００はネットワーク・エンティティ（たとえば、ネットワーク・エンティティ４２０）内に常駐する。一態様では、推定構成要素５５０は、複数のサブキャリアを介したワイヤレス・デバイスによるデータ送信に関連する推定干渉を確認するように構成され得るが、割当て構成要素５８０は、推定干渉に少なくとも部分的に基づいて、ワイヤレス・デバイスにリソースを割り当てるように構成され得る。ここで、推定構成要素５５０または割当て構成要素５８０のいずれも、複数のさらなる構成のいずれかを有し得ることに留意されたい。たとえば、推定構成要素５５０はさらに、複数のサブキャリアに関連する相互変調積のセットを判断するように構成され得、割当て構成要素５８０はさらに、アップリンク・サブキャリアまたはダウンリンク・サブキャリアのいずれかの上でワイヤレス・デバイスをスケジュールするように構成され得る。
【００５７】
また、干渉管理ユニット５００をネットワーク・エンティティ（たとえば、ネットワーク・エンティティ４２０）内に実装するとき、通信構成要素５７０は、同様に複数のさらなる構成のいずれかを含み得ることにも留意されたい。たとえば、通信構成要素５７０は、複数のサブキャリアに関連する相互変調積の周波数ロケーションに関係する指示をワイヤレス・デバイスから受信するように構成され得、推定構成要素５５０は、ワイヤレス・デバイスから受信した指示に少なくとも部分的に基づいて推定干渉を確認するように構成され得る。この特定の実施形態の場合、複数のサブキャリアに関連する相互変調積の周波数ロケーションは、少なくとも第１のワイヤレス・アクセス技術と第２のワイヤレス・アクセス技術とを介したワイヤレス・デバイスのデータ送信に関係し得る。たとえば、第１のワイヤレス・アクセス技術はＬｏｎｇ  Ｔｅｒｍ  Ｅｖｏｌｕｔｉｏｎシステムを備え得るが、第２のワイヤレス・アクセス技術は符号分割多元接続（ＣＤＭＡ）システムまたはワイヤレス・フィデリティー（ＷｉＦｉ）システムであり得る。
【００５８】
図６を参照すると、一実施形態による、干渉低減を可能にするシステム６００が示されている。システム６００および／またはシステム６００を実装するための命令はユーザ機器（たとえば、ユーザ機器４１０）内に常駐することができる。図示のように、システム６００は、コンピュータ可読記憶媒体からの命令および／またはデータを使用してプロセッサによって実装される機能を表すことができる機能ブロックを含む。システム６００は、連携して動作することができる電気構成要素の論理グルーピング６０２を含む。図示のように、論理グルーピング６０２は、アップリンク上での複数のサブキャリアを介したデータ送信に関連する推定干渉を推定するための電気構成要素６１０を含むことができる。論理グルーピング６０２はまた、推定干渉に少なくとも部分的に基づいて、ダウンリンク上で少なくとも１つのサブキャリアを介して受信したデータを処理するための電気構成要素６１２を含むことができる。さらに、システム６００は、電気構成要素６１０および６１２に関連する機能を実行するための命令および／またはデータを保持するメモリ６２０を含むことができる。メモリ６２０の外部にあるものとして示されているが、電気構成要素６１０および６１２はメモリ６２０の内部に存在することができることを理解されたい。
【００５９】
次に図７を参照すると、干渉低減を可能にする別の例示的なシステム７００が示されている。システム７００および／またはシステム７００を実装するための命令は、たとえば、ネットワーク・エンティティ（たとえば、ネットワーク・エンティティ４２０）内に物理的に常駐することができ、システム７００は、コンピュータ可読記憶媒体からの命令および／またはデータを使用してプロセッサによって実装される機能を表すことができる機能ブロックを含む。システム７００は、システム６００中の論理グルーピング６０２と同様に、連携して動作することができる電気構成要素の論理グルーピング７０２を含む。図示のように、論理グルーピング７０２は、複数のサブキャリアを介したワイヤレス・デバイスによるデータ送信に関連する推定干渉を推定するための電気構成要素７１０を含むことができる。論理グルーピング７０２はまた、推定干渉に少なくとも部分的に基づいて、ワイヤレス・デバイスにリソースを割り当てるための電気構成要素７１２を含むことができる。さらに、システム７００は、電気構成要素７１０および７１２に関連する機能を実行するための命令および／またはデータを保持するメモリ７２０を含むことができる。メモリ７２０の外部にあるものとして示されているが、電気構成要素７１０および７１２はメモリ７２０の内部に存在することができることを理解されたい。
【００６０】
次に図８を参照すると、ワイヤレス通信において干渉低減を可能にするための例示的なプロセスが示されている。図示のように、プロセス８００は、ワイヤレス端末またはネットワーク・エンティティによって実行され得る一連の動作を含む。たとえば、プロセス８００は、一連の動作を実装するためにコンピュータ可読記憶媒体に記憶されたコンピュータ実行可能命令を実行するためにプロセッサを採用することによって実装され得る。
【００６１】
一態様では、プロセス８００は、８１０において信号を受信することで開始する。８２０において、受信信号内の相互変調積または高調波積を識別する。相互変調積または高調波積を識別すると、プロセス８００は、８３０において、相互変調積または高調波積が、後続の信号送信において回避すべき干渉を生じ得るかどうかを判断する。
【００６２】
干渉を回避すべき場合、処理は８４０に進み、送信のための候補代替サブキャリアを確認する。一態様では、受信信号の相互変調積または高調波積と重複しないサブキャリアを識別する。候補サブキャリアを識別すると、８５０において、送信のための特定のサブキャリアを選択する。８６０において、選択したサブキャリアを使用して信号を送信する。
【００６３】
しかしながら、８３０においてサブキャリアの選択が干渉を回避しないと判断された場合、処理は８３５に進み、相互変調積または高調波積によって生じる干渉を推定する。次いで８４５において、推定干渉に少なくとも部分的に基づいて受信信号を処理し、８６０において、信号を送信する。ここで、そのような処理は、たとえば、推定干渉に従って受信信号を復調および／または復号することを含み得ることに留意されたい。処理はまた、受信信号に関連する対数尤度比メトリックのセットをリセットすることであって、対数尤度比メトリックのセットを０に設定することを備える、リセットすることを含み得る。
【００６４】
特定の一態様では、相互変調積および／または高調波は、異なるタイプのワイヤレス・ネットワークに関与するマルチキャリア通信から生じ得ることに留意されたい。図９に、ユーザ機器９１０がＬｏｎｇ  Ｔｅｒｍ  Ｅｖｏｌｕｔｉｏｎ（ＬＴＥ）ネットワーク９２０およびＷｉ−Ｆｉネットワーク９３０の各々にアップリンク通信を送信する例示的なシステムが示されている。この特定の例では、Ｌｏｎｇ  Ｔｅｒｍ  Ｅｖｏｌｕｔｉｏｎ（ＬＴＥ）ネットワーク９２０に送信されるアップリンク通信は第１の周波数ｆ1を介して送信されるが、ＷｉＦｉネットワーク９３０に送信されるアップリンク通信は第２の周波数ｆ2を介して送信される。図示のように、そのようなアップリンク送信は、相互変調積および／または高調波Ａ1ｆ1＋Ａ2ｆ2を生じ得、その相互変調積および／または高調波は、Ｌｏｎｇ  Ｔｅｒｍ  Ｅｖｏｌｕｔｉｏｎ（ＬＴＥ）ネットワーク９２０またはワイヤレス・フィデリティー（ＷｉＦｉ）ネットワーク９３０のいずれかから受信されたダウンリンク通信と干渉し得る。
【００６５】
例示的な通信システム
次に図１０を参照すると、複数のセル（たとえば、セル１００２、セル１００４）を有する例示的な通信システム１０００が示されている。ここで、セル境界領域１０６８によって示されるように、隣接する無線カバレージ１００２、１００４はわずかに重複し、それにより近隣セル中の基地局によって送信される信号間の信号干渉の可能性が生じることに留意されたい。システム１０００の各セル１００２、１００４は３つのセクタを含む。複数のセクタに再分割されなかったセル（Ｎ＝１）、２つのセクタをもつセル（Ｎ＝２）、および３を超えるセクタをもつセル（Ｎ＞３）も利用され得る。セル１００２は、第１のセクタ、セクタＩ  １０１０と、第２のセクタ、セクタＩＩ  １０１２と、第３のセクタ、セクタＩＩＩ  １０１４とを含む。各セクタ１０１０、１０１２、および１０１４は、２つのセクタ境界領域を有し、各境界領域は、２つの隣接するセクタ間で共有される。
【００６６】
近隣セクタ中の基地局によって送信される信号間の干渉は境界領域において発生し得る。線１０１６はセクタＩ  １０１０とセクタＩＩ  １０１２との間のセクタ境界領域を表し、線１０１８はセクタＩＩ  １０１２とセクタＩＩＩ  １０１４との間のセクタ境界領域を表し、線１０２０はセクタＩＩＩ  １０１４とセクタＩ  １０１０との間のセクタ境界領域を表す。同様に、セルＭ  １００４は、第１のセクタ、セクタＩ  １０２２と、第２のセクタ、セクタＩＩ  １０２４と、第３のセクタ、セクタＩＩＩ  １０２６とを含む。線１０２８はセクタＩ  １０２２とセクタＩＩ  １０２４との間のセクタ境界領域を表し、線１０３０はセクタＩＩ  １０２４とセクタＩＩＩ  １０２６との間のセクタ境界領域を表し、線１０３２はセクタＩＩＩ  １０２６とセクタＩ  １０２２との間の境界領域を表す。セルＩ  １００２は、各セクタ１０１０、１０１２、１０１４中に基地局（ＢＳ）、基地局Ｉ  １００６と、複数のエンドノード（ＥＮ）とを含む。セクタＩ  １０１０は、それぞれワイヤレス・リンク１０４０、１０４２を介してＢＳ１００６に結合されたＥＮ（１）１０３６とＥＮ（Ｘ）１０３８とを含み、セクタＩＩ  １０１２は、それぞれワイヤレス・リンク１０４８、１０５０を介してＢＳ１００６に結合されたＥＮ（１’）１０４４とＥＮ（Ｘ’）１０４６とを含み、セクタＩＩＩ  １０１４は、それぞれワイヤレス・リンク１０５６、１０５８を介してＢＳ１００６に結合されたＥＮ（１’’）１０５２とＥＮ（Ｘ’’）１０５４とを含む。同様に、セルＭ  １００４は、各セクタ１０２２、１０２４、および１０２６中に基地局Ｍ  １００８と複数のエンドノード（ＥＮ）とを含む。セクタＩ  １０２２は、それぞれワイヤレス・リンク１０４０’、１０４２’を介してＢＳ  Ｍ  １００８に結合されたＥＮ（１）１０３６’とＥＮ（Ｘ）１０３８’とを含み、セクタＩＩ  １０２４は、それぞれワイヤレス・リンク１０４８’、１０５０’を介してＢＳ  Ｍ  １００８に結合されたＥＮ（１’）１０４４’とＥＮ（Ｘ’）１０４６’とを含み、セクタＩＩＩ  １０２６は、それぞれワイヤレス・リンク１０５６’、１０５８’を介してＢＳ１００８に結合されたＥＮ（１’’）１０５２’とＥＮ（Ｘ’’）１０５４’とを含む。
【００６７】
システム１０００はまた、それぞれネットワーク・リンク１０６２、１０６４を介してＢＳ  Ｉ  １００６とＢＳ  Ｍ  １００８とに結合されたネットワーク・ノード１０６０を含む。ネットワーク・ノード１０６０はまた、ネットワーク・リンク１０６６を介して、たとえば、他の基地局、ＡＡＡサーバ・ノード、中間ノード、ルータなどの他のネットワーク・ノードと、インターネットとに結合される。ネットワーク・リンク１０６２、１０６４、１０６６は、たとえば、光ファイバケーブルであり得る。各エンドノード、たとえば、ＥＮ１  １０３６は、送信機ならびに受信機を含むワイヤレス端末であり得る。ワイヤレス端末、たとえば、ＥＮ（１）１０３６は、システム１０００中を移動し得、ＥＮが現在位置するセル中の基地局とワイヤレス・リンクを介して通信し得る。ワイヤレス端末（ＷＴ）、たとえばＥＮ（１）１０３６は、基地局、たとえば、ＢＳ１００６、および／またはネットワーク・ノード１０６０を介して、ピアノード、たとえば、システム１０００中またはシステム１０００外の他のＷＴと通信し得る。ＷＴ、たとえば、ＥＮ（１）１０３６は、セルフォン、ワイヤレス・モデムをもつ個人情報端末などのモバイル通信デバイスであり得る。それぞれの基地局は、トーンを割り振り、休止シンボル期間、たとえば、非ストリップシンボル期間中にトーンホッピングを判断するために採用される方法とは異なる、ストリップシンボル期間のための方法を使用してトーン・サブセット割振りを実行する。ワイヤレス端末は、基地局から受信した情報、たとえば、基地局スロープＩＤ、セクタＩＤ情報とともにトーン・サブセット割振り方法を使用して、ワイヤレス端末が特定のストリップシンボル期間においてデータおよび情報を受信するために採用することができるトーンを判断する。トーン・サブセット割振りシーケンスは、それぞれのトーン上のセクタ間干渉およびセル間干渉を拡散するために、様々な態様に従って構築される。主題のシステムについて主にセルラー・モードのコンテキスト内で説明したが、本明細書で説明する態様によれば、複数のモードが利用可能であり、採用可能であり得ることを諒解されたい。
【００６８】
例示的な基地局
図１１に、例示的な基地局１１００を示す。基地局１１００は、トーン・サブセット割振りシーケンスを実装し、異なるトーン・サブセット割振りシーケンスは、セルのそれぞれの異なるセクタタイプに対して生成される。基地局１１００は、図１０のシステム１０００の基地局１００６、１００８のうちのいずれか１つとして使用され得る。基地局１１００は、バス１１０９によって互いに結合された、受信機１１０２と、送信機１１０４と、プロセッサ１１０６、たとえば、ＣＰＵと、入出力インターフェース１１０８と、メモリ１１１０とを含み、バス１１０９を介して、様々な要素１１０２、１１０４、１１０６、１１０８、および１１１０はデータおよび情報を交換し得る。
【００６９】
受信機１１０２に結合されたセクタ化アンテナ１１０３は、基地局のセル内の各セクタからのワイヤレス端末送信から、データおよび他の信号、たとえば、チャネル報告を受信するために使用される。送信機１１０４に結合されたセクタ化アンテナ１１０５は、基地局のセルの各セクタ内のワイヤレス端末１２００（図１２参照）に、データおよび他の信号、たとえば、制御信号、パイロット信号、ビーコン信号などを送信するために使用される。様々な態様では、基地局１１００は、複数の受信機１１０２および複数の送信機１１０４、たとえば、各セクタの個々の受信機１１０２および各セクタの個々の送信機１１０４を採用し得る。プロセッサ１１０６は、たとえば、汎用中央処理ユニット（ＣＰＵ）であり得る。プロセッサ１１０６は、メモリ１１００に記憶された１つまたは複数のルーチン１１１８の指示の下で基地局１１１０の動作を制御し、方法を実装する。入出力インターフェース１１０８は、他のネットワーク・ノードへの接続を与え、ＢＳ１１００を他の基地局、アクセス・ルータ、ＡＡＡサーバ・ノードなど、他のネットワーク、およびインターネットに結合する。メモリ１１１０は、ルーチン１１１８とデータ／情報１１２０とを含む。
【００７０】
データ／情報１１２０は、データ１１３６と、ダウンリンク・ストリップシンボル時間情報１１４０およびダウンリンク・トーン情報１１４２を含むトーン・サブセット割振りシーケンス情報１１３８と、ワイヤレス端末（ＷＴ）情報、すなわちＷＴ１情報１１４６およびＷＴ  Ｎ情報１１６０の複数のセットを含むＷＴデータ／情報１１４４とを含む。ＷＴ情報の各セット、たとえば、ＷＴ１情報１１４６は、データ１１４８と、端末ＩＤ１１５０と、セクタＩＤ１１５２と、アップリンク・チャネル情報１１５４と、ダウンリンク・チャネル情報１１５６と、モード情報１１５８とを含む。
【００７１】
ルーチン１１１８は、通信ルーチン１１２２と基地局制御ルーチン１１２４とを含む。基地局制御ルーチン１１２４は、スケジューラ・モジュール１１２６と、ストリップシンボル期間のためのトーン・サブセット割振りルーチン１１３０、シンボル期間の残り、たとえば、非ストリップシンボル期間のための他のダウンリンク・トーン割振りホッピング・ルーチン１１３２、およびビーコン・ルーチン１１３４を含むシグナリング・ルーチン１１２８とを含む。
【００７２】
データ１１３６は、ＷＴへの送信より前に符号化するための送信機１１０４のエンコーダ１１１４に送られることになる、送信すべきデータと、受信に続いて受信機１１０２のデコーダ１１１２を通して処理された、ＷＴからの受信データとを含む。ダウンリンク・ストリップシンボル時間情報１１４０は、スーパー・スロット、ビーコン・スロット、およびウルトラ・スロット構造情報などのフレーム同期構造情報と、所与のシンボル期間がストリップシンボル期間であるかどうかを指定する情報、およびそうであれば、ストリップシンボル期間のインデックス、ならびにそのストリップシンボルが、基地局によって使用されたトーン・サブセット割振りシーケンスを切り捨てるべきリセットポイントであるかどうかを指定する情報とを含む。ダウンリンク・トーン情報１１４２は、基地局１１００に割り当てられたキャリア周波数、トーンの数および周波数、およびストリップシンボル期間に割り振られるべきトーン・サブセットのセットを含む情報と、スロープ、スロープ・インデックスおよびセクタタイプなどの他のセルおよびセクタ固有の値とを含む。
【００７３】
データ１１４８は、ＷＴ１  １２００がピアノードから受信したデータと、ＷＴ１  １２００がピアノードに送信されることを望むデータと、ダウンリンク・チャネル品質報告フィードバック情報とを含み得る。端末ＩＤ１１５０は、ＷＴ１  １２００を識別する、基地局１１００によって割り当てられたＩＤである。セクタＩＤ１１５２は、ＷＴ１  １２００が動作しているセクタを識別する情報を含む。セクタＩＤ１１５２は、たとえば、セクタタイプを判断するために使用され得る。アップリンク・チャネル情報１１５４は、ＷＴ１  １２００  が使用するようにスケジューラ１１２６によって割り振られたチャネルセグメント、たとえば、データのためのアップリンク・トラフィック・チャネル・セグメント、要求、電力制御、タイミング制御などのための専用アップリンク制御チャネルを識別する情報を含む。ＷＴ１  １２００に割り当てられた各アップリンク・チャネルは１つまたは複数の論理トーンを含み、各論理トーンはアップリンク・ホッピング・シーケンスに追従する。ダウンリンク・チャネル情報１１５６は、データおよび／または情報をＷＴ１  １２００に搬送するようにスケジューラ１１２６によって割り振られたチャネルセグメント、たとえば、ユーザデータのためのダウンリンク・トラフィック・チャネル・セグメントを識別する情報を含む。ＷＴ１  １２００に割り当てられた各ダウンリンク・チャネルは１つまたは複数の論理トーンを含み、各論理トーンはダウンリンクホッピングシーケンスに追従する。モード情報１１５８は、ＷＴ１  １２００の動作の状態、たとえば、スリープ、ホールド、オンを識別する情報を含む。
【００７４】
通信ルーチン１１２２は、様々な通信動作を実行し、様々な通信プロトコルを実装するために基地局１１００によって利用される。基地局制御ルーチン１１２４は、基本的な基地局機能タスク、たとえば、信号生成および受信、スケジューリングを実行し、ストリップシンボル期間中にトーン・サブセット割振りシーケンスを使用して信号をワイヤレス端末に送信することを含むいくつかの態様の方法のステップを実装するように、基地局１１００を制御するために使用される。
【００７５】
シグナリング・ルーチン１１２８は、デコーダ１１１２をもつ受信機１１０２と、エンコーダ１１１４をもつ送信機１１０４との動作を制御する。シグナリング・ルーチン１１２８は、送信データ１１３６と制御情報との生成を制御することを受け持つ。トーン・サブセット割振りルーチン１１３０は、本態様の方法を使用して、さらにダウンリンク・ストリップシンボル時間情報１１４０とセクタＩＤ１１５２とを含むデータ／情報１１２０を使用して、ストリップシンボル期間中に使用すべきトーン・サブセットを構築する。ダウンリンク・トーン・サブセット割振りシーケンスは、セル中のセクタタイプごとに異なり、また、隣接するセルごとに異なる。ＷＴ１２００は、ダウンリンク・トーン・サブセット割振りシーケンスに従ってストリップシンボル期間中に信号を受信し、基地局１１００は、送信信号を生成するために、同じダウンリンク・トーン・サブセット割振りシーケンスを使用する。他のダウンリンク・トーン割振りホッピング・ルーチン１１３２は、ストリップシンボル期間以外のシンボル期間について、ダウンリンク・トーン情報１１４２とダウンリンク・チャネル情報１１５６とを含む情報を使用して、ダウンリンク・トーンホッピングシーケンスを構築する。ダウンリンク・データトーン・ホッピング・シーケンスは、セルのセクタにわたって同期させられる。ビーコン・ルーチン１１３４は、同期の目的のために、たとえば、ダウンリンク信号のフレームタイミング構造、したがってウルトラ・スロット境界に関するトーン・サブセット割振りシーケンスを同期させるために使用され得るビーコン信号、たとえば、１つまたは数個のトーン上に集中される比較的高い電力信号の送信を制御する。
【００７６】
例示的なワイヤレス端末
図１２に、図１０に示すシステム１０００のワイヤレス端末（エンドノード）のいずれか１つ、たとえば、ＥＮ（１）１０３６として使用され得る例示的なワイヤレス端末（エンドノード）１２００を示す。ワイヤレス端末１２００はトーン・サブセット割振りシーケンスを実装する。ワイヤレス端末１２００は、バス１２１０によって互いに結合された、デコーダ１２１２を含む受信機１２０２と、エンコーダ１２１４を含む送信機１２０４と、プロセッサ１２０６と、メモリ１２０８とを含み、バス１２１０を介して、様々な要素１２０２、１２０４、１２０６、１２０８はデータおよび情報を交換することができる。基地局（および／または異種ワイヤレス端末）から信号を受信するために使用されるアンテナ１２０３が、受信機１２０２に結合される。信号を、たとえば、基地局（および／または異種ワイヤレス端末）に送信するために使用されるアンテナ１２０５が、送信機１２０４に結合される。
【００７７】
プロセッサ１２０６、たとえば、ＣＰＵは、ワイヤレス端末１２００の動作を制御し、メモリ１２０８中のルーチン１２２０を実行することと、データ／情報１２２２を使用することとによって方法を実装する。
【００７８】
データ／情報１２２２は、ユーザデータ１２３４と、ユーザ情報１２３６と、トーン・サブセット割振りシーケンス情報１２５０とを含む。ユーザデータ１２３４は、ピアノードを対象とする、送信機１２０４による基地局への送信より前に符号化するためのエンコーダ１２１４にルーティングされることになるデータと、受信機１２０２中のデコーダ１２１２によって処理された基地局から受信されたデータとを含み得る。ユーザ情報１２３６は、アップリンク・チャネル情報１２３８と、ダウンリンク・チャネル情報１２４０と、端末ＩＤ情報１２４２と、基地局ＩＤ情報１２４４と、セクタＩＤ情報１２４６と、モード情報１２４８とを含む。アップリンク・チャネル情報１２３８は、基地局に送信するときにワイヤレス端末１２００が使用するように、基地局によって割り当てられたアップリンク・チャネルセグメントを識別する情報を含む。アップリンク・チャネルは、アップリンクトラフィックチャネル、専用アップリンク制御チャネル、たとえば、要求チャネル、電力制御チャネルおよびタイミング制御チャネルを含み得る。各アップリンク・チャネルは１つまたは複数の論理トーンを含み、各論理トーンはアップリンク・トーン・ホッピング・シーケンスに追従する。アップリンク・ホッピング・シーケンスは、セルの各セクタタイプ間で異なり、隣接するセル間で異なる。ダウンリンク・チャネル情報１２４０は、基地局がデータ／情報をＷＴ１２００に送信しているときに使用するために、基地局によってＷＴ１２００に割り当てられたダウンリンク・チャネルセグメントを識別する情報を含む。ダウンリンク・チャネルは、ダウンリンク・トラフィック・チャネルと割当てチャネルとを含み得、各ダウンリンク・チャネルは１つまたは複数の論理トーンを含み、各論理トーンは、セルの各セクタ間で同期させられるダウンリンク・ホッピング・シーケンスに追従する。
【００７９】
また、ユーザ情報１２３６は、基地局によって割り当てられた識別情報である端末ＩＤ情報１２４２と、ＷＴが通信を確立した特定の基地局を識別する基地局ＩＤ情報１２４４と、ＷＴ１２００が現在位置しているセルの特定のセクタを識別するセクタＩＤ情報１２４６とを含む。基地局ＩＤ１２４４はセルスロープ値を与え、セクタＩＤ情報１２４６はセクタ・インデックス・タイプを与え、セルスロープ値およびセクタ・インデックス・タイプは、トーン・ホッピング・シーケンスを導出するために使用され得る。同じくユーザ情報１２３６中に含まれるモード情報１２４８は、ＷＴ１２００がスリープモード中か、ホールドモード中か、オンモード中かを識別する。
【００８０】
トーン・サブセット割振りシーケンス情報１２５０は、ダウンリンク・ストリップシンボル時間情報１２５２とダウンリンク・トーン情報１２５４と含む。ダウンリンク・ストリップシンボル時間情報１２５２は、スーパー・スロット、ビーコン・スロット、およびウルトラ・スロット構造情報などのフレーム同期構造情報と、所与のシンボル期間がストリップシンボル期間であるかどうかを指定する情報、およびそうであれば、ストリップシンボル期間のインデックス、ならびにそのストリップシンボルが基地局によって使用されたトーン・サブセット割振りシーケンスを切り捨てるべきリセットポイントであるかどうかを指定する情報とを含む。ダウンリンク・トーン情報１２５４は、基地局に割り当てられたキャリア周波数、トーンの数および周波数、およびストリップシンボル期間に割り振られるべきトーン・サブセットのセットを含む情報と、スロープ、スロープ・インデックスおよびセクタタイプなどの他のセルおよびセクタ固有の値とを含む。
【００８１】
ルーチン１２２０は、通信ルーチン１２２４とワイヤレス端末制御ルーチン１２２６とを含む。通信ルーチン１２２４は、ＷＴ１２００によって使用される様々な通信プロトコルを制御する。ワイヤレス端末制御ルーチン１２２６は、受信機１２０２と送信機１２０４との制御を含む基本的ワイヤレス端末１２００機能を制御する。ワイヤレス端末制御ルーチン１２２６はシグナリング・ルーチン１２２８を含む。シグナリング・ルーチン１２２８は、ストリップシンボル期間のためのトーン・サブセット割振りルーチン１２３０と、シンボル期間の残り、たとえば、非ストリップシンボル期間のための他のダウンリンク・トーン割振りホッピング・ルーチン１２３２とを含む。トーン・サブセット割振りルーチン１２３０は、いくつかの態様に従ってダウンリンク・トーン・サブセット割振りシーケンスを生成し、基地局から送信された受信データを処理するために、ダウンリンク・チャネル情報１２４０と、基地局ＩＤ情報１２４４、たとえば、スロープ・インデックスおよびセクタタイプと、ダウンリンク・トーン情報１２５４とを含むユーザデータ／情報１２２２を使用する。他のダウンリンク・トーン割振りホッピング・ルーチン１２３２は、ストリップシンボル期間以外のシンボル期間について、ダウンリンク・トーン情報１２５４とダウンリンク・チャネル情報１２４０とを含む情報を使用して、ダウンリンク・トーンホッピングシーケンスを構築する。トーン・サブセット割振りルーチン１２３０は、プロセッサ１２０６によって実行されたとき、いつ、およびどのトーン上で、ワイヤレス端末１２００が基地局１１００から１つまたは複数のストリップシンボル信号を受信することになるかを判断するために使用される。アップリンク・トーン割振りホッピング・ルーチン１２３２は、基地局から受信された情報とともに、トーン・サブセット割振り機能を使用して、それが送信すべきトーンを判断する。
【００８２】
１つまたは複数の例示的な実施形態では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータ・プログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクト・ディスク（登録商標）（disc）（ＣＤ）、レーザディスク（登録商標）（disc）、光ディスク（disc）、デジタル多用途ディスク（登録商標）（disc）（ＤＶＤ）、フロッピー（登録商標）ディスク（disk）およびブルーレイディスク（登録商標）（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００８３】
実施形態がプログラム・コードまたはコード・セグメント中に実装されるとき、コード・セグメントは、プロシージャ、関数、サブプログラム、プログラム、ルーチン、サブルーチン、モジュール、ソフトウェア・パッケージ、クラス、あるいは命令、データ構造またはプログラム・ステートメントの任意の組合せを表すことができることを諒解されたい。コードセグメントは、情報、データ、引数、パラメータ、またはメモリ内容をパスおよび／または受信することによって、別のコードセグメントまたはハードウェア回路に結合され得る。情報、引数、パラメータ、データなどは、メモリ共有、メッセージ・パッシング、トークン・パッシング、ネットワーク送信などを含む、好適な手段を使用してパス、フォワーディング、または送信され得る。さらに、いくつかの態様では、方法またはアルゴリズムのステップおよび／またはアクションは、コンピュータ・プログラム製品に組み込むことができる、機械可読媒体および／またはコンピュータ可読媒体上のコードおよび／または命令の１つまたは任意の組合せ、あるいはそのセットとして常駐することができる。
【００８４】
ソフトウェア実装の場合、本明細書で説明した技法は、本明細書で説明した機能を実行するモジュール（たとえば、プロシージャ、関数など）を用いて実装され得る。ソフトウェアコードは、メモリユニットに記憶され、プロセッサによって実行され得る。メモリユニットは、プロセッサの内部またはプロセッサの外部に実装され、その場合、当技術分野で知られているように様々な手段によってプロセッサに通信可能に結合され得る。
【００８５】
ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールド・プログラマブル・ゲートアレイ（ＦＰＧＡ）、プロセッサ、コントローラ、マイクロ・コントローラ、マイクロ・プロセッサ、本明細書で説明した機能を実行するように設計された他の電子ユニット、またはそれらの組合せの中で実装され得る。
【００８６】
以上の説明は、１つまたは複数の実施形態の例を含む。もちろん、上述の実施形態について説明する目的で、構成要素または方法のあらゆる考えられる組合せについて説明することは不可能であるが、当業者なら、様々な実施形態の多数のさらなる組合せおよび置換が可能であることを認識できよう。したがって、説明した実施形態は、添付の特許請求の範囲の趣旨および範囲内に入るすべてのそのような改変形態、変更形態および変形形態を包含するものとする。さらに、「含む（include）」という用語は、発明を実施するための形態または特許請求の範囲のいずれかにおいて使用される限り、「備える（comprising）」という用語を採用すると請求項における移行語と解釈されるように「備える（comprising）」と同様に包括的なものとする。
【００８７】
本明細書で使用する「推論する」または「推論」という用語は、概して、イベントおよび／またはデータを介して捕捉された観察のセットから、システム、環境、および／またはユーザの状態について推理する、またはその状態を推論するプロセスを指す。推論は、特定のコンテキストまたはアクションを識別するために使用され得、あるいは、たとえば、状態の確率分布を生成することができる。推論は、確率的、すなわち、データおよびイベントの考察に基づく当該の状態の確率分布の計算とすることができる。推論は、イベントおよび／またはデータのセットからより高いレベルのイベントを構成するために採用される技法を指すこともある。そのような推論から、イベントが時間的に近接して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【００８８】
さらに、本出願で使用する「構成要素」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行可能ファイル、実行スレッド、プログラム、および／またはコンピュータとすることができるが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、１つまたは複数のデータパケット（たとえば、ローカルシステム、分散システム内、および／または他のシステムを用いるインターネットなどのネットワーク上の別の構成要素と信号を介して相互作用する１つの構成要素からのデータ）を有する信号によるなど、ローカルおよび／またはリモートプロセスを介して通信することができる。
以下に本件出願当初の特許請求の範囲に記載された発明を付記する。
［１］  ワイヤレス通信の方法であって、アップリンク上での複数のサブキャリアを介したデータ送信に関連する推定干渉を判断することと、前記推定干渉に少なくとも部分的に基づいて、ダウンリンク上で少なくとも１つのサブキャリアを介して受信したデータを処理することと、を備える方法。
［２］  前記推定干渉を判断することが、前記複数のサブキャリアに関連する相互変調積を判断することを備える［１］に記載の方法。
［３］  前記推定干渉を判断することが、前記少なくとも１つのサブキャリアを、前記相互変調積に関係する周波数の範囲内の周波数を有するものと識別することを備える［２］に記載の方法。
［４］  前記少なくとも１つのサブキャリアを介して受信したデータを処理することが、前記少なくとも１つのサブキャリアの変調シンボルの対数尤度比（ＬＬＲ）を０にすることを備える［３］に記載の方法。
［５］  前記推定干渉に少なくとも部分的に基づいて、前記複数のサブキャリアのうちの少なくとも１つの上での前記データ送信を中断することをさらに備える［１］に記載の方法。
［６］  前記データ送信を中断することが、基地局からのスケジューリングに応答する［５］に記載の方法。
［７］  前記推定干渉に関係する情報のセットを基地局に送信することをさらに備える［１］に記載の方法。
［８］  前記情報のセットが、前記複数のサブキャリアに関連する相互変調積の周波数ロケーションを備える［７］に記載の方法。
［９］  前記推定干渉に少なくとも部分的に基づいて、前記アップリンク上でデータを送信するためのサブキャリアを選択することをさらに備える［１］に記載の方法。
［１０］  前記複数のサブキャリアが、第１のワイヤレス・アクセス技術に関連する第１のセットのサブキャリアと、第２のワイヤレス・アクセス技術に関連する第２のセットのサブキャリアとを備える［１］に記載の方法。
［１１］  前記第１のワイヤレス・アクセス技術がＬｏｎｇ  Ｔｅｒｍ  Ｅｖｏｌｕｔｉｏｎ（ＬＴＥ）システムを備え、前記第２のワイヤレス・アクセス技術が符号分割多元接続（ＣＤＭＡ）システムまたはＷｉＦｉシステムのうちの１つである［１０］に記載の方法。
［１２］  前記複数のサブキャリアが、前記アップリンク上での並列データ送信のために利用可能な複数の不連続サブキャリアを備える［１］に記載の方法。
［１３］  メモリに記憶されたコンピュータ実行可能構成要素を実行するように構成されたプロセッサであって、  アップリンク上での複数のサブキャリアを介したデータ送信に関連する推定干渉を判断するように構成された推定構成要素と、  前記推定干渉に少なくとも部分的に基づいて、ダウンリンク上で少なくとも１つのサブキャリアを介して受信したデータを処理するように構成された信号処理構成要素と、を含むプロセッサを備えるワイヤレス通信装置。
［１４］  前記推定構成要素が、前記複数のサブキャリアに関連する相互変調積を判断するように構成される［１３］に記載の装置。
［１５］  前記推定構成要素が、前記少なくとも１つのサブキャリアを、相互変調積に関係する周波数の範囲内の周波数を有するものとして識別するように構成される［１４］に記載の装置。
［１６］  前記信号処理構成要素が、前記少なくとも１つのサブキャリアの変調シンボルの対数尤度比（ＬＬＲ）を０にするように構成される［１５］に記載の装置。
［１７］  前記推定干渉に少なくとも部分的に基づいて、前記複数のサブキャリアのうちの少なくとも１つの上で前記データ送信を中断するように構成された通信構成要素をさらに備える［１３］に記載の装置。
［１８］  前記通信構成要素が、基地局からのスケジューリングに応答して前記データ送信を中断するように構成される［１７］に記載の装置。
［１９］  前記推定干渉に関係する情報のセットを基地局に送信するように構成された通信構成要素をさらに備える［１３］に記載の装置。
［２０］  前記情報のセットが、前記複数のサブキャリアに関連する相互変調積の周波数ロケーションを備える［１９］に記載の装置。
［２１］  前記推定干渉に少なくとも部分的に基づいて、前記アップリンク上でデータを送信するためのサブキャリアを選択するように構成された送信構成要素をさらに備える［１３］に記載の装置。
［２２］  前記複数のサブキャリアが、第１のワイヤレス・アクセス技術に関連する第１のセットのサブキャリアと、第２のワイヤレス・アクセス技術に関連する第２のセットのサブキャリアとを備える［１３］に記載の装置。
［２３］  前記第１のワイヤレス・アクセス技術がＬｏｎｇ  Ｔｅｒｍ  Ｅｖｏｌｕｔｉｏｎ（ＬＴＥ）システムを備え、前記第２のワイヤレス・アクセス技術が符号分割多元接続（ＣＤＭＡ）システムまたはＷｉＦｉシステムのうちの１つである［２２］に記載の装置。
［２４］  前記複数のサブキャリアが、前記アップリンク上での並列データ送信のために利用可能な複数の不連続サブキャリアを備える［１３］に記載の装置。
［２５］  少なくとも１つのコンピュータに、  アップリンク上での複数のサブキャリアを介したデータ送信に関連する推定干渉を判断することと、  前記推定干渉に少なくとも部分的に基づいて、ダウンリンク上で少なくとも１つのサブキャリアを介して受信したデータを処理することと、を行わせるためのコードを備えるコンピュータ可読記憶媒体を備える、ワイヤレス通信を可能にするコンピュータ・プログラム製品。
［２６］  アップリンク上での複数のサブキャリアを介したデータ送信に関連する推定干渉を判断するための手段と、前記推定干渉に少なくとも部分的に基づいて、ダウンリンク上で少なくとも１つのサブキャリアを介して受信したデータを処理するための手段と、を備えるワイヤレス通信装置。
［２７］  ワイヤレス通信の方法であって、複数のサブキャリアを介したワイヤレス・デバイスによるデータ送信に関連する推定干渉を判断することと、前記推定干渉に少なくとも部分的に基づいて、前記ワイヤレス・デバイスにリソースを割り当てることと、を備える方法。
［２８］  前記推定干渉を判断することが、前記複数のサブキャリアに関連する相互変調積を判断することを備える［２７］に記載の方法。
［２９］  前記複数のサブキャリアに関連する相互変調積の周波数ロケーションに関係する指示を前記ワイヤレス・デバイスから受信することをさらに備え、前記推定干渉を判断することが、前記ワイヤレス・デバイスから受信した前記指示に少なくとも部分的に基づく、［２７］に記載の方法。
［３０］  前記相互変調積の前記周波数ロケーションが、少なくとも第１のワイヤレス・アクセス技術と第２のワイヤレス・アクセス技術とを介した前記ワイヤレス・デバイスのデータ送信に関係する［２９］に記載の方法。
［３１］  前記第１のワイヤレス・アクセス技術がＬｏｎｇ  Ｔｅｒｍ  Ｅｖｏｌｕｔｉｏｎ（ＬＴＥ）システムを備え、前記第２のワイヤレス・アクセス技術が符号分割多元接続（ＣＤＭＡ）システムまたはＷｉＦｉシステムのうちの１つである［３０］に記載の方法。
［３２］  前記ワイヤレス・デバイスにリソースを割り当てることが、アップリンク・サブキャリア上で前記ワイヤレス・デバイスをスケジュールすることを備える［２７］に記載の方法。
［３３］  前記ワイヤレス・デバイスにリソースを割り当てることが、ダウンリンク・サブキャリア上で前記ワイヤレス・デバイスをスケジュールすることを備える［２７］に記載の方法。
［３４］  メモリに記憶されたコンピュータ実行可能構成要素を実行するように構成されたプロセッサであって、前記構成要素が、  複数のサブキャリアを介したワイヤレス・デバイスによるデータ送信に関連する推定干渉を判断するように構成された推定構成要素と、  前記推定干渉に少なくとも部分的に基づいて、前記ワイヤレス・デバイスにリソースを割り当てるように構成された割当て構成要素と、を含む、プロセッサを備えるワイヤレス通信装置。
［３５］  前記推定構成要素が、前記複数のサブキャリアに関連する相互変調積を判断するように構成される［３４］に記載の装置。
［３６］  前記複数のサブキャリアに関連する相互変調積の周波数ロケーションに関係する指示を前記ワイヤレス・デバイスから受信するように構成された通信構成要素をさらに備え、前記推定構成要素が、前記ワイヤレス・デバイスから受信した前記指示に少なくとも部分的に基づいて前記推定干渉を判断するように構成される［３４］に記載の装置。
［３７］  前記相互変調積の前記周波数ロケーションが、少なくとも第１のワイヤレス・アクセス技術と第２のワイヤレス・アクセス技術とを介した前記ワイヤレス・デバイスのデータ送信に関係する［３６］に記載の装置。
［３８］  前記第１のワイヤレス・アクセス技術がＬｏｎｇ  Ｔｅｒｍ  Ｅｖｏｌｕｔｉｏｎシステムを備え、前記第２のワイヤレス・アクセス技術が符号分割多元接続（ＣＤＭＡ）システムまたはＷｉＦｉシステムのうちの１つである［３７］に記載の装置。
［３９］  前記割当て構成要素が、アップリンク・サブキャリア上で前記ワイヤレス・デバイスをスケジュールするように構成される［３４］に記載の装置。
［４０］  前記割当て構成要素が、ダウンリンク・サブキャリア上で前記ワイヤレス・デバイスをスケジュールするように構成される［３４］に記載の装置。
［４１］  少なくとも１つのコンピュータに、  複数のサブキャリアを介したワイヤレス・デバイスによるデータ送信に関連する推定干渉を判断することと、  前記推定干渉に少なくとも部分的に基づいて、前記ワイヤレス・デバイスにリソースを割り当てることと、を行わせるためのコードを備えるコンピュータ可読記憶媒体を備える、ワイヤレス通信を可能にするコンピュータ・プログラム製品。
［４２］  複数のサブキャリアを介したワイヤレス・デバイスによるデータ送信に関連する推定干渉を判断するための手段と、前記推定干渉に少なくとも部分的に基づいて、前記ワイヤレス・デバイスにリソースを割り当てるための手段と、を備える、ワイヤレス通信装置。
【図１】
0005602849.tif 000002
【図２】
0005602849.tif 000003
【図３】
0005602849.tif 000004
【図４】
0005602849.tif 000005
【図５】
0005602849.tif 000006
【図６】
0005602849.tif 000007
【図７】
0005602849.tif 000008
【図８】
0005602849.tif 000009
【図９】
0005602849.tif 000010
【図１０】
0005602849.tif 000011
【図１１】
0005602849.tif 000012
【図１２】
0005602849.tif 000013